(57)【要約】      （修正有）【課題】コネクタと携帯機器との接続が無断で取り外されるのを防ぎ、携帯機器の盗難防止を図り、防犯効果を高めるコネクタカバーを提供する。【解決手段】携帯機器に着脱自在に接続され、携帯機器への着脱時に操作される操作部１２を備えたコネクタ４を覆うコネクタカバー６であって、コネクタ４の操作部１２を覆うようにコネクタ４に固定されることを特徴とし、コネクタ４は、幅広の表面７及び裏面と幅狭の左右側面８とを有して扁平形状を成す本体部９と、携帯機器の差し込み部に挿入可能なように本体部９の一端部から突出する接続部１１とを備えており、本体部９の表面側を覆う表面側カバー１３と本体部９の裏面側を覆う裏面側カバー１４とを重合してネジ留めすることによりコネクタ４に固定される。【選択図】図２
0003153570.tif 000002
【実用新案登録請求の範囲】
【請求項１】
携帯機器に着脱自在に接続され、該携帯機器への着脱時に操作される操作部を備えたコネクタを覆うコネクタカバーであって、
前記コネクタの操作部を覆うように該コネクタに固定されることを特徴とするコネクタカバー。
【請求項２】
前記コネクタは、幅広の表面及び裏面と幅狭の左右側面とを有して扁平形状を成す本体部と、前記携帯機器の差し込み部に挿入可能なように前記本体部の一端部から突出する接続部とを備えており、前記本体部の表面側を覆う表面側カバーと前記本体部の裏面側を覆う裏面側カバーとを重合して螺設することにより前記コネクタに固定される請求項１に記載のコネクタカバー。
【請求項３】
前記携帯機器は携帯電話機であり、前記操作部は前記本体部の左右側面に設けられている請求項１又は２に記載のコネクタカバー。
【請求項４】
前記携帯機器は携帯電話機であり、前記操作部は前記本体部の表面又は裏面に設けられている請求項１又は２に記載のコネクタカバー。
【考案の詳細な説明】
【技術分野】
【０００１】
本考案は、携帯電話機等の携帯機器を充電又は該携帯機器に給電する際に該携帯機器に接続されるコネクタを覆うためのコネクタカバーに関する。
【背景技術】
【０００２】
一般に、携帯電話機の販売店等において、展示棚に展示されている携帯電話機の多くは、ケーシングやスイッチ類等の外観部品は備えているものの電子回路等の内部部品を備えていない携帯電話機のダミーである。しかしながら、このようなダミーの他に、すべての部品を備えた実物の携帯電話機が数台展示されることが多い。
【０００３】
ダミーは実際に稼働させて操作することができないが、実物の携帯電話機は実際に稼働させて操作することができる。来店客は、実物の携帯電話機を実際に稼働させて操作することにより、当該携帯電話機に搭載されているソフトウェアの使い心地等を試すことができる。
【０００４】
実物の携帯電話機は、電源を入れることができる状態、又は電源を入れた状態で展示されるため、充電器が接続され、商用電源から充電又は給電が行われている状態で展示棚上に設置される。そして、この時に使用される充電器は、充電器に設けられたコネクタを介して携帯電話機に接続され、このコネクタは左右側面又は表面に設置された操作部を押圧することにより携帯機器に着脱自在に接続されるようになっている（例えば、特許文献１参照）。
【先行技術文献】
【特許文献】
【０００５】
【特許文献１】特開２００４−３２４８０号公報
【考案の概要】
【考案が解決しようとする課題】
【０００６】
しかしながら、このようにコネクタを介して実物の携帯電話機を充電器に接続して展示すると、何者かがコネクタの操作部を押圧して携帯電話機を充電器から無断で取り外して持ち出し、店員等がこれに即座に気づくかない場合があり得る。特に店内が混雑しているときや、店員の数が少ないとき、店頭販売のときなどには、携帯電話機の無断持ち出しに即座に気づくことは容易なことではない。
【０００７】
本考案は、上述したような問題に鑑みなされたものであり、充電器のコネクタと携帯電話機との接続が無断で取り外されるのを防ぎ、携帯電話機の盗難防止を図り、防犯効果を高めることのできるコネクタカバーを提供することを目的とするものである。
【課題を解決するための手段】
【０００８】
上記した目的を達成するため、本考案は、携帯機器に着脱自在に接続され、該携帯機器への着脱時に操作される操作部を備えたコネクタを覆うコネクタカバーであって、前記コネクタの操作部を覆うように該コネクタに固定されることを特徴とする。
【０００９】
そして、本考案において、前記コネクタは、幅広の表面及び裏面と幅狭の左右側面とを有して扁平形状を成す本体部と、前記携帯機器の差し込み部に挿入可能なように前記本体部の一端部から突出する接続部とを備えており、前記本体部の表面側を覆う表面側カバーと前記本体部の裏面側を覆う裏面側カバーとを重合して螺設することにより前記コネクタに固定されてもよい。
【００１０】
また、本考案において、前記携帯機器は携帯電話機であり、前記操作部は前記本体部の左右側面に設けられていてもよい。
【００１１】
さらに、本考案において、前記携帯機器は携帯電話機であり、前記操作部は前記本体部の表面又は裏面に設けられていてもよい。
【考案の効果】
【００１２】
本考案に係るコネクタカバーによれば、コネクタと携帯機器との接続が無断で取り外されるのを防ぎ、携帯機器の盗難防止を図り、防犯効果を高めることができる。
【図面の簡単な説明】
【００１３】
【図１】本考案の実施の形態に係るコネクタカバーをコネクタに装着した充電器を携帯電話機と共に示す斜視図である。
【図２】本考案の実施の形態に係るコネクタカバーと充電器のコネクタとを分解して示す斜視図である。
【図３】本考案の別の実施の形態に係るコネクタカバーと充電器のコネクタとを分解して示す斜視図である。
【考案を実施するための形態】
【００１４】
以下、本考案の実施の形態について図面を参照しつつ詳細に説明する。
【００１５】
図１に示すように、携帯電話機１の販売店等において、実際に操作可能な携帯電話機１を展示する場合、携帯電話機１に充電器２が接続され、商用電源から充電又は給電される。
【００１６】
この場合の充電器２は、商用電源に接続される電源プラグ３と、携帯電話機１に接続されるコネクタ４と、電源プラグ３とコネクタ４とを接続するケーブル５とを備えて構成されており、コネクタ４にはコネクタカバー６が装着されるようになっている。
【００１７】
図２に良く示されているように、コネクタ４は、幅広の表面７及び裏面（図示せず）と幅狭の左右側面８（左側面は図示せず）とを有して扁平形状を成す本体部９と、携帯電話機１の差し込み部１０に挿入可能なように本体部９の先端部から突出する接続部１１とを備えて構成されている。そして、本体部９の左右側面８には操作部１２（左側面の操作部は図示せず）が設けられており、この操作部１２を押圧操作することにより、コネクタ４の接続部１１が携帯電話機１の差し込み部１０に対して着脱可能となる。
【００１８】
コネクタカバー６は、本体部９の表面７側を覆う表面側カバー１３と、本体部９の前記裏面側を覆う裏面側カバー１４とに分割されており、表面側カバー１３と裏面側カバー１４とは互いに重合可能に形成されている。
【００１９】
表面側カバー１３には、先端面に切欠部（図示せず）が形成されていると共に、左右側面の先端側にそれぞれ係止片１５が突設されており、係止片１５には係止孔１６が穿設されている。また、表面側カバー１３の基端部にはネジ溝（図示せず）が２箇所形成されている。
【００２０】
一方、裏面側カバー１４には、先端面に切欠部１７が形成されており、表面側カバー１３と裏面側カバー１４が重合した時にこの切欠部１７と表面側カバー１３の前記切欠部とによりコネクタ４の接続部１１が挿通可能な矩形状の開口部が先端面に形成されるようになっている。また、裏面側カバー１４には、左右側面の先端側に係止凹部１８が形成されており、この係止凹部１８に突設された係止突部１９に表面側カバー１３の係止片１６の係止孔１７が嵌合可能となっている。さらに、裏面側カバー１４の基端部には表面側カバー１３の前記ネジ溝に対応する位置に通孔２０が穿設されている。
【００２１】
上記した構成を備えたコネクタカバー６を充電器２のコネクタ４に取り付ける場合、本体部９の前記裏面側に裏面側カバー１４を嵌合すると共に、本体部９の表面７側に表面側カバー１３を嵌合し、表面側カバー１３を裏面側カバー１４に重合する。そして、係止片１５を係止凹部１８に嵌合すると共に係止孔１６を係止突部１９に嵌合し、さらに、２本のネジ２１を各通孔２０及び前記各ネジ溝に螺設する。これにより、コネクタカバー６は本体部９の表面７及び裏面と操作部１２を覆うようにコネクタ４に固定される。
【００２２】
このように本考案の実施の形態に係るコネクタカバー６を充電器２のコネクタ４に取り付けることにより、コネクタ４の操作部１２を操作することができなくなるため、コネクタ４を介して充電器２に接続されて充電又は給電された状態で展示されている携帯電話機１を何者かが無断でコネクタ４から取り外して持ち出すことはできなくなる。したがって、展示されている携帯電話機１の盗難防止を図ることができ、防犯効果を高めることができる。
【００２３】
なお、上記した実施の形態では、充電器２のコネクタ４の操作部１２が本体部９の左右側面８に設置されている場合について説明したが、これは単なる例示に過ぎず、例えば、図３に示すように、操作部１２が本体部９の表面７又は裏面に設けられている等、他の位置に設置されている場合でも本発明は適用可能である。
【００２４】
また、コネクタカバー６の形状や構造は上記したものに限定されるものではなく、各種変更が可能であることは言う迄もない。
【００２５】
さらに、上記した実施の形態では、本考案に係るコネクタカバーを、携帯電話機の充電器のコネクタに適用した場合について説明したが、本考案はこれに限らず、携帯電話機以外の携帯機器に充電又は給電する充電器のコネクタにも適用することができる。
【符号の説明】
【００２６】
１          携帯電話（携帯機器）
４          コネクタ
６          コネクタカバー
７          表面
８          右側面
９          本体部
１０        差し込み部
１２        操作部
１３        表面側カバー
１４        裏面側カバー
【図１】
0003153570.tif 000003
【図２】
0003153570.tif 000004
【図３】
0003153570.tif 000005